(57)【要約】【課題】  レーザードライバーの高速化の限界を超えて高速記録を行なう場合に、信頼性の高い記録マークを形成する情報記録媒体の記録方法を提供すること。【解決手段】  変調符合に従って情報記録媒体に記録マークを記録する記録方法であって、発光パルスの立ち上がり時間（Ｔｓ）及び立ち下がり時間（Ｔｅ）がそれぞれ２ｎｓｅｃ以下であるレーザードライバーを使用し、立ち上がり時間（Ｔｓ）及び立ち下がり時間（Ｔｅ）の合計（Ｔｓ＋Ｔｅ）と発光パルスの全照射時間（Ｔｍ）との比（Ｒ＝（Ｔｓ＋Ｔｅ）／Ｔｍ）が０．５以上となるような、謂わば、レーザードライバーの高速化の限界を超えた条件で高速記録マークを記録する場合、総ての記録符号長ｎＴの記録マークを１個のパルスにより記録し、パルスは、照射開始時の記録パワーが指数関数的に減衰する形状を有するように制御される。【選択図】  図１１
2006172627.tif 000002
【特許請求の範囲】
【請求項１】
変調符合に従って情報記録媒体に記録マークを記録する記録方法であって、
総ての前記記録マークを１個のパルスにより記録し、
前記パルスは、照射開始時の記録パワーが指数関数的に減衰する形状を有することを特徴とする情報記録媒体の記録方法。
【請求項２】
発光パルスの立ち上がり時間（Ｔｓ）及び立ち下がり時間（Ｔｅ）がそれぞれ２ｎｓｅｃ以下であるレーザードライバーを使用し、
前記立ち上がり時間（Ｔｓ）及び立ち下がり時間（Ｔｅ）の合計（Ｔｓ＋Ｔｅ）と前記発光パルスの全照射時間（Ｔｍ）との比（Ｒ＝（Ｔｓ＋Ｔｅ）／Ｔｍ）が０．５以上となる条件で、前記記録マークを記録することを特徴とする請求項１記載の情報記録媒体の記録方法。
【請求項３】
変調符合に従って情報記録媒体に記録マークを記録する記録方法であって、
周期Ｔのチャネルロックに基づく信号長がｎＴ以下の記録マークを１個のパルスにより記録し（但し、ｎは２〜１０から選ばれるいずれか１個の整数である）、
前記周期Ｔのチャネルロックに基づく信号長が（ｎ＋１）Ｔ以上の記録マークを少なくとも２個のパルスにより記録し、
前記パルスは、照射開始時の記録パワーが指数関数的に減衰する形状を有することを特徴とする情報記録媒体の記録方法。
【請求項４】
発光パルスの立ち上がり時間（Ｔｓ）及び立ち下がり時間（Ｔｅ）がそれぞれ２ｎｓｅｃ以下であるレーザードライバーを使用し、
前記立ち上がり時間（Ｔｓ）及び立ち下がり時間（Ｔｅ）の合計（Ｔｓ＋Ｔｅ）と前記発光パルスの全照射時間（Ｔｍ）との比（Ｒ＝（Ｔｓ＋Ｔｅ）／Ｔｍ）が０．５以上となる条件で、前記記録マークを記録することを特徴とする請求項３記載の情報記録媒体の記録方法。
【請求項５】
情報記録媒体に光を照射して記録マークを形成する情報記録装置であって、
前記情報記録媒体上に前記記録マークを形成するための光を照射する光照射手段と、
前記光照射手段により照射される前記光の強度を制御する光強度制御手段と、
前記記録マークを形成するために照射する光パルスの形状を、照射開始時の記録パワーから指数関数的に減衰するように制御するパルス制御手段と、を備え、
前記光強度制御手段は、前記記録マークを形成する前記光の強度を変化させるとともに、前記光パルスの形状が照射開始時の記録パワーから指数関数的に減衰させるための減衰係数を変化させることを特徴とする情報記録装置。
【請求項６】
前記光照射手段は、所定の開口数（ＮＡ）の集光レンズ及び所定の波長（λ）のレーザー光を発振する光ヘッドを搭載し、
前記情報記録媒体は、所定のトラックピッチ（ＴＰ）により形成された記録トラックを備え、
前記開口数（ＮＡ）、前記波長（λ）及び前記トラックピッチ（ＴＰ）の関係が、
０．３５×（λ／ＮＡ）≦ＴＰ≦０．７×（λ／ＮＡ）
であることを特徴とする請求項５記載の情報記録装置。
【請求項７】
前記情報記録媒体は、基板上に形成された溝及び溝間の両方を前記記録マークが形成される記録トラックとして用いることを特徴とする請求項５記載の情報記録装置。
【請求項８】
前記情報記録媒体は、相変化型記録材料からなる記録層を有することを特徴とする請求項５記載の情報記録装置。
【請求項９】
前記記録マークを形成するために照射する光が、波長（λ）３９０ｎｍ〜４２０ｎｍのレーザー光であることを特徴とする請求項５記載の情報記録装置。
【発明の詳細な説明】
【技術分野】
【０００１】
本発明は、情報記録媒体の記録方法等に関し、より詳しくは、高速記録を行なう場合においても信頼性の高い記録再生が可能な情報記録媒体の記録方法等に関する。
【背景技術】
【０００２】
光学的に情報を記録する媒体として光ディスク、光カード、光テープなどが提案・開発され、中でも光ディスクは大容量かつ高密度に情報を記録・再生できる媒体として注目されている。光ディスクとしては、例えば、ＤＶＤ−ＲＡＭ、ＤＶＤ−ＲＷ等の記録消去可能な記録型ＤＶＤ媒体では、相変化型記録材料を用いた相変化記録方式が採用されている。このような相変化記録方式では、レーザービームにより記録層材料を融点以上に加熱した直後の冷却過程で、溶融領域外縁から結晶成長が起こり、記録マークのサイズを小さくなる再結晶化とよばれる現象が起こる。この再結晶化による記録マーク形状の劣化を抑えるために、レーザービームの照射後にいったん記録パワーを落とし、パルス列として照射する方法が一般的である。この記録するパルス列の構成を記録ストラテジと呼ぶ。
【０００３】
図１は、相変化型光ディスクに情報を記録するパルス列を説明するための図である。図１（ａ）には、２Ｔｍ（２Ｔマーク）−２Ｔｓ（２Ｔスペース）−３Ｔｍ（３Ｔマーク）−３Ｔｓ（３Ｔスペース）−４Ｔｍ（４Ｔマーク）−４Ｔｓ（４Ｔスペース）−１１Ｔｍ（１１Ｔマーク）のＥＦＭ（８  ｔｏ  １４  Ｍｏｄｕｌａｔｉｏｎ）信号を記録再生する場合のレーザーパワーの変化が示されている。尚、図１（ａ）中、Ｐｗは記録パワーであり、Ｐｂは消去パワーである。また、Ｔは、記録データのチャネルクロック周期である。図１（ｂ）には、相変化型光ディスクのトラック上に形成された記録マークとスペースとの記録状態が示されている。
図１（ａ）に示すように、記録マークを記録するための記録パルス数は、２Ｔｍの場合が１個、３Ｔｍの場合が２個、４Ｔｍの場合が３個、１１Ｔｍの場合が１０個というように、所定の記録符号長ｎＴに対して（ｎ−１）個である。
【０００４】
相変化型光ディスクの場合は、再生パワーより強い記録パワー（Ｐｗ）のレーザー光を照射して記録膜の温度を融点以上に上昇させて溶融し、レーザー光の通過と共に溶融部分が急冷されて非晶質（アモルファス）状態の記録マークになる。また、記録膜を結晶化温度以上融点以下の温度まで上昇させる程度の消去パワー（Ｐｂ）のレーザー光を集束して照射すると、照射部の記録膜は結晶状態になる。このようにしてトラック上には記録データ信号に対応した非晶質領域のマークと結晶質領域との記録パターンが形成される。そして、結晶質と非晶質との反射率の相違を利用して、情報の再生が行なわれる。これまでに、記録ストラテジを最適化する方法が数多く提案され、入射レーザー光をマルチパルス化することにより、記録マークのエッジのタイミングを制御する方法が実用化されている（例えば、特許文献１参照。）。
【０００５】
一方、近年、コンピュータの進歩に代表されるようなデータ処理技術や信号処理技術の複雑化および高速化に伴い、光ディスク装置等のデータ記憶装置には一層の大容量化と高速化（高転送レート化）とが要求されるようになっている。
例えば、記録型ＤＶＤを大容量化する技術として、レーザー光の波長を４０５ｎｍと短波長化し、対物レンズのＮＡを０．８５と大きくすることによりレーザースポット径を小さくしてより高密度の情報を記録する方法が良く知られている（例えば、非特許文献１参照）。この方法は、通称Ｂｌｕ−ｒａｙ  Ｄｉｓｃの主要技術として利用されており、従来のＤＶＤより薄い０．１ｍｍ基板を採用することにより、ディスクのチルトに対する影響を小さくしている。また、この０．１ｍｍ基板は記録層の機械的保護・電気的化学的保護（腐食防止）といった重要な役割を果たす。
【０００６】
Ｂｌｕ−ｒａｙ  Ｄｉｓｃの場合、０．１ｍｍ基板の剛性を保つことが難しいため、例えば、厚さ１．１ｍｍのポリカーボネート（ＰＣ）基板上に、反射層、誘電体層、相変化記録層、誘電体層を、従来の書換型媒体とは逆の順序に積層し、最後に、０．１ｍｍカバー層を保護層として形成して作製される。
また、０．６ｍｍ基板上に、従来と同様の順序で反射層等を積層した媒体を作製し、波長４０５ｎｍのレーザー光と、ＮＡ０．６５の対物レンズを用いて情報を記録する方法が提案されている（通称、ＨＤ  ＤＶＤという。）。この方法は、０．１ｍｍカバー層を用いるＢｌｕ−ｒａｙ  Ｄｉｓｃと比べて、対物レンズのＮＡが小さいために、レーザースポット径が大きく、記録密度は小さくなるが、基板の剛性を保つことができ、記録層の多層化をしやすいという利点がある。またディスク上の埃や傷の影響を小さくできるという利点がある。
【０００７】
【特許文献１】特開２００１−１７６０７２号公報
【非特許文献１】「ジャパニーズ・ジャーナル・オブ・アプライド・フィジックス（Ｊａｐａｎｅｓｅ  Ｊｏｕｒｎａｌ  ｏｆ  Ａｐｐｌｉｅｄ  Ｐｈｙｓｉｃｓ）」応用物理学会，平成１２年２月，第３９巻，パート１，Ｎｏ．２Ｂ，ｐ．７５６−７６１
【発明の開示】
【発明が解決しようとする課題】
【０００８】
ところで、近年、短波長の青色レーザー（波長４０５ｎｍ）が開発されるともに、光ディスク装置における高転送レート化技術及び大容量の次世代光ディスクの研究開発が加速されている。この次世代ディスクの製品化が進めば、従来のＣＤ、ＤＶＤの場合と同じく、標準速に対して２倍速記録、３倍速記録、４倍速記録といった高速記録対応への要請が出ることは容易に想像できる。
例えば、次世代大容量ディスクの候補の１つである、前述したＨＤ  ＤＶＤの場合を例に挙げて考えると次のとおりである。先ず、現在の規格では、標準速である１倍速記録の記録再生線速は５．６４ｍ／ｓｅｃ〜６．０３ｍ／ｓｅｃの範囲とされている。この記録再生線速の場合、ディスクの半径２４ｍｍの位置（内周）における回転数は２，２２９ｒｐｍであり、外周半径５８ｍｍの位置（外周）の回転数は９２２ｒｐｍとなる。
【０００９】
ここで、一般に、ＰＣ基板はディスク回転数が１０，０００ｒｐｍを超えると乱流等によって形状が歪む事が知られており、ディスクの記録再生線速もＰＣ基板の機械的強度によって制限される。従って、内周の回転数が１０，０００ｒｐｍとなる場合の記録再生線速は単純計算すると２５．１ｍ／ｓｅｃとなり、この線速値が基板強度を考慮した場合の最高線速となる。即ち、ＨＤ  ＤＶＤは、少なくとも４倍速記録まではＰＣ基板を用いて対応可能である。
【００１０】
次に、ＨＤ  ＤＶＤの１倍速記録は、転送レート３６．５５Ｍｂｐｓ、チャンネルビット長０．０８７μｍ〜０．０９３μｍ、窓幅（Ｔｗ）１５．４ｎｓｅｃである。次世代のＨＤ  ＤＶＤの４倍速記録を考えると、転送レート１４６．２Ｍｂｐｓ、チャンネルビット長０．０８７μｍ〜０．０９３μｍ、窓幅（Ｔｗ）＝３．８５ｎｓｅｃとなる。
一方、記録のための線速度が速く、データ転送レートが高いほど、記録信号の周波数を高くする必要があり、前述したように、レーザー光をパルス変調して照射する場合は、パルス列を構成するそれぞれのパルスの時間幅は著しく短くなる。
しかし、レーザードライバーの高速化の限界は、半導体レーザーのインダクタンスＬ（２０ｎＨ程度）及び電流源の容量Ｃ（１０ｐＦ程度）により定まるから、共振周波数ｆ（３５０ＭＨｚ程度、パルス幅３ｎｓｅｃ程度）で矩形パルスが発光することは原理的に困難である。即ち、ＨＤ  ＤＶＤの１倍速記録を、規格で定められているマルチパルスで記録する際には、およそ０．７５Ｔｗ幅（１１．５ｎｓｅｃ）の光パルスが必要である。さらに、高速化を考え、４倍速記録に対応するためには、マルチパルスで記録する際には、およそ０．７５Ｔｗ幅（２．９ｎｓｅｃ）の光パルスが必要となり、上述したレーザードライバーの限界を超えてしまう。
【００１１】
このように、４倍速記録で、ＨＤ  ＤＶＤにマルチパルスにより記録を行うことは実質的に困難である。このため、レーザードライバーの高速化の限界を超えて高速記録を行う場合、パルス幅を拡げた矩形パルスを使用せざるを得ない。
しかし、記録マークを矩形パルスを用いて記録する方法では、特に、長マークを記録する場合に、記録マークの後端部が太くなるため、記録マーク形状の制御が難しくなるという問題がある。
【００１２】
一方、レーザー発光素子は、駆動電流が印加されてから発光強度がその電流値に対応する強度に達するまで一定の立ち上がり時間を必要とするため、高速記録ではレーザーパワーが不足するという問題がある。
図５は、レーザーパワーの立ち上がり時間と立ち下がり時間とを説明するための図である。図５中、Ｔｍは所定のパルス幅におけるレーザー発光の全照射時間である。Ｔｓはレーザーパワーの立ち上がりからピーク値までに増加するのに要する時間（立ち上がり時間）である。Ｔｅはレーザーパワーのピーク値から立ち下がるまでに要する時間（立ち下がり時間）である。例えば、立ち上がり時間（Ｔｓ）及び立ち下がり時間（Ｔｅ）の合計（Ｔｓ＋Ｔｅ）と全照射時間（Ｔｍ）との比（Ｒ＝（Ｔｓ＋Ｔｅ）／Ｔｍ）が０．５以上になるような、レーザードライバーの高速化の限界を越えて高速記録を行う場合、記録媒体に書かれる記録マークの形状が歪む傾向がある。
即ち、線速度が速く、転送レートを高めてパルスの幅が短くなると、各パルスに対応するレーザー発光はピーク値に達する迄に一定の立ち上がり時間（Ｔｓ）が費やされ、充分な照射時間を確保できぬまま一定の立ち下がり時間（Ｔｅ）が費やされる減衰過程に移ることになる。その結果、レーザーパワーにより記録媒体に加わる単位面積あたりのエネルギーが最適値からずれ、記録媒体に書かれる記録マークの形状が歪み、正確な情報の記録再生ができなくなるという問題が生じる。
【００１３】
本発明は、このような問題を解決するためになされたものである。
即ち、本発明の目的は、レーザードライバーの高速化の限界を超えて高速記録を行なう場合に、信頼性の高い記録マークを形成する情報記録媒体の記録方法を提供することにある。
また、本発明の他の目的は、レーザードライバーの高速化の限界を超えて高速記録を行なえる光学的情報記録装置を提供することにある。
【課題を解決するための手段】
【００１４】
上述した課題を解決するために、本発明においては、簡略化された記録パルス数の記録ストラテジを用いている。
即ち、本発明によれば、変調符合に従って情報記録媒体に記録マークを記録する記録方法であって、総ての記録マークを１個のパルスにより記録し、パルスは、照射開始時の記録パワーが指数関数的に減衰する形状を有することを特徴とする情報記録媒体の記録方法が提供される。
【００１５】
このように、総ての記録符号長ｎＴに対して１個のパルス数の記録ストラテジを用い、且つ、レーザーパルスの形状を、所定のパワーで照射されたレーザー光のレーザーパワーが一定時間経過後に低下する減衰波形になるように形成することにより、記録マークの形状の歪を低減し信頼性の高い記録再生を行うことができる。
ここで、発光パルスの立ち上がり時間（Ｔｓ）及び立ち下がり時間（Ｔｅ）がそれぞれ２ｎｓｅｃ以下であるレーザードライバーを使用し、立ち上がり時間（Ｔｓ）及び立ち下がり時間（Ｔｅ）の合計（Ｔｓ＋Ｔｅ）と発光パルスの全照射時間（Ｔｍ）との比（Ｒ＝（Ｔｓ＋Ｔｅ）／Ｔｍ）が０．５以上となるような、謂わば、レーザードライバーの高速化の限界を超えた条件で高速記録マークを記録する場合において、本発明が適用される情報記録媒体の記録方法によれば、良好な記録再生特性が得られる記録マークを記録することができる。
【００１６】
次に、本発明によれば、変調符合に従って情報記録媒体に記録マークを記録する記録方法であって、周期Ｔのチャネルロックに基づく信号長がｎＴ以下の記録マークを１個のパルスにより記録し（但し、ｎは２〜１０から選ばれるいずれか１個の整数である）、周期Ｔのチャネルロックに基づく信号長が（ｎ＋１）Ｔ以上の記録マークを少なくとも２個のパルスにより記録し、パルスは、照射開始時の記録パワーが指数関数的に減衰する形状を有することを特徴とする情報記録媒体の記録方法が提供される。
【００１７】
このように、簡略化された記録パルス数のパルスにより記録し、且つ、レーザーパルスの形状を、所定のパワーで照射されたレーザー光のレーザーパワーが一定時間経過後に低下する減衰波形になるように形成することにより、記録マークの形状の歪を低減し信頼性の高い記録再生を行うことができる。
ここで、発光パルスの立ち上がり時間（Ｔｓ）及び立ち下がり時間（Ｔｅ）がそれぞれ２ｎｓｅｃ以下であるレーザードライバーを使用し、立ち上がり時間（Ｔｓ）及び立ち下がり時間（Ｔｅ）の合計（Ｔｓ＋Ｔｅ）と発光パルスの全照射時間（Ｔｍ）との比（Ｒ＝（Ｔｓ＋Ｔｅ）／Ｔｍ）が０．５以上となるような、謂わば、レーザードライバーの高速化の限界を超えた条件で高速記録マークを記録する場合において、本発明が適用される情報記録媒体の記録方法によれば、良好な記録再生特性が得られる記録マークを記録することができる。
【００１８】
尚、本発明が適用される情報記録媒体の記録方法には、高密度記録に有利なＥＦＭ，ＲＬＬ（１，１０）変調符号を使用するのが最適である。このような変調符号は周期Ｔのチャネルクロックに基づく長さｎＴ（但し、ｎは２〜１１から選ばれる整数）の長さの信号から構成される。
【００１９】
次に、本発明によれば、情報記録媒体に光を照射して記録マークを形成する情報記録装置であって、情報記録媒体上に記録マークを形成するための光を照射する光照射手段と、光照射手段により照射される光の強度を制御する光強度制御手段と、記録マークを形成するために照射する光パルスの形状を、照射開始時の記録パワーから指数関数的に減衰するように制御するパルス制御手段と、を備え、光強度制御手段は、記録マークを形成する光の強度を変化させるとともに、光パルスの形状が照射開始時の記録パワーから指数関数的に減衰させるための減衰係数を変化させることを特徴とする情報記録装置が提供される。
ここで、本発明が適用される情報記録装置において、光照射手段は、所定の開口数（ＮＡ）の集光レンズ及び所定の波長（λ）のレーザー光を発振する光ヘッドを搭載し、情報記録媒体は、所定のトラックピッチ（ＴＰ）により形成された記録トラックを備え、開口数（ＮＡ）、波長（λ）及びトラックピッチ（ＴＰ）の関係が、
０．３５×（λ／ＮＡ）≦ＴＰ≦０．７×（λ／ＮＡ）
であることが好ましい。
また、情報記録媒体は、基板上に形成された溝及び溝間の両方を記録マークが形成される記録トラックとして用いるものであることが好ましい。
さらに、情報記録媒体は、相変化型記録材料からなる記録層を有することが好ましい。
尚、記録マークを形成するために照射する光は、波長（λ）３９０ｎｍ〜４２０ｎｍのレーザー光であることが好ましい。
【発明の効果】
【００２０】
本発明によれば、レーザードライバーの高速化の限界を超えて高速記録を行なう場合に、信頼性の高い記録マークを形成する情報記録媒体の記録方法が得られる。
【発明を実施するための最良の形態】
【００２１】
以下、本発明を実施するための最良の形態（以下、実施の形態という）を用いて本発明をさらに具体的に説明する。尚、本発明は以下の実施の形態に限定されない。
（情報記録装置）
図２は、本実施の形態が適用される情報記録装置を説明するための図である。図２には、変調符号に従って情報記録媒体である光ディスク２１１に情報を記録し、光ディスク２１１から情報を再生する情報記録再生装置２００が示されている。光ディスク２１１としては、ＣＤ−Ｒ（Ｃｏｍｐａｃｔ  Ｄｉｓｃ−Ｒｅｃｏｒｄａｂｌｅ）、ＤＶＤ−Ｒ、ＣＤ−ＲＷ（Ｃｏｍｐａｃｔ  Ｄｉｓｃ−Ｒｅｗｒｉｔａｂｌｅ）、ＤＶＤ−ＲＷ等の光記録媒体を使用することができる。
【００２２】
情報記録再生装置２００は、光ディスク２１１に対して記録ビーム及び再生ビームを照射する光源を搭載した光ヘッド２０７と、入力する記録信号に応じて生成された記録パルス信号に基づき光ヘッド２０７を駆動するドライバであるレーザー駆動回路２０６と、を備えている。また、レーザー駆動回路２０６に外部の上位計算機２０１から入力され、記録する情報に応じて２値化された記録データ信号を発生させる変調回路２０３と、記録データ信号に応じてレーザーを駆動するための記録パルス信号を発生させる記録信号生成回路２０４と、記録信号生成回路２０４で発生する矩形波パルスをパワーレベルが時間とともに指数関数的に減衰する波形に変換するパルス波形変換回路２０５と、を有している。さらに、光ヘッド２０７により検出された再生信号の波形処理を行う再生信号復調回路２０９と、再生信号復調回路２０９から転送された再生信号を変換して再生情報を得るための復調回路２１０と、を有している。光ディスク２１１は、スピンドルモーター２０８により回転され、また、システム制御回路２０２により情報記録再生装置２００全体が制御されている。
尚、情報を記録するために使用するレーザービームは、波長３９０ｎｍ〜４２０ｎｍのレーザー光であることが好ましい。
【００２３】
図２に示すように、情報記録再生装置２００により光ディスク２１１に情報を記録する場合は、上位計算機２０１からシステム制御回路２０２内のバッファメモリを介して記録情報が変調回路２０３に送られる。変調回路２０３に送られた記録情報は、クロックに同調して変調・２値化された記録データ信号に変調されて記録信号生成回路２０４に入力される。記録信号生成回路２０４では、入力された記録データ信号に対応する矩形波のパルス信号が形成され、パルス波形変換回路２０５に入力される。次に、パルス波形変換回路２０５に入力された矩形波のパルス信号は、矩形波のパルスの前端部から後端部にかけて、信号レベルが指数関数的に減衰する波形に変換され、記録符号長に応じた記録パルス列が形成されてレーザー駆動回路２０６に入力される。
【００２４】
パルス波形変換回路２０５は、コンデンサー（Ｃ）と抵抗（Ｒ）とを直列に接続した単純な回路であり、Ｃ及びＲの値を調節することによって、矩形波のパルス信号の減衰の程度を調整することができる。例えば、Ｒ＝５０Ω、Ｃ＝１０００ｐＦの場合、所定のパワーで照射されたレーザー光が、５０ｎｓｅｃ後に、照射開始時の約３６．８％（＝１／ｅ）のレーザーパワーに低下するような減衰波形を形成することができる。
【００２５】
図３は、本実施の形態が適用される情報記録再生装置２００において、各信号生成回路で生成される信号を説明するための図である。図３には、２Ｔｍ−２Ｔｓ−３Ｔｍ−３Ｔｓ−４Ｔｍ−４Ｔｓ−１１ＴｍをＥＦＭ，ＲＬＬ（１，１０）変調で記録した場合の例が示されている。尚、Ｔはチャネルクロック周期であり、２Ｔは最短記録符号長であり、１１Ｔは最長記録符号長である。
図３（ａ）は、上位計算機２０１からシステム制御回路２０２内のバッファメモリを介して送られた記録情報に基づき変調回路２０３において生成された記録データ信号を示している。図３（ｂ）は、変調回路２０３で変調・２値化された記録データ信号に基づき記録信号生成回路２０４において形成された矩形波のパルス信号である。図３（ｃ）は、記録信号生成回路２０４で矩形波のパルス信号に基づき、矩形波のパルスの前端部から後端部にかけて、信号レベルが指数関数的に減衰する波形に変換された信号を示す。尚、ここでは、図３（ｂ）に示すように、各記録マークを記録するための記録パルス数は、所定の記録符号長ｎＴに対して（ｎ−１）個を採用している。
【００２６】
図３（ｃ）に示すように、矩形波のパルス形状が、時間の経過とともに信号レベルが指数関数的に減衰する波形に変換されたパルスを形成することにより、この減衰パルスに対応してレーザー駆動回路２０６を駆動させる電流を変調する。このような減衰パルスに対応してレーザー駆動回路２０６を駆動させることにより、特に相変化型の光ディスク２１１に情報を記録する際、形成される記録マークの後端部に溜まる熱が低減され、その結果、記録マーク形状の制御が容易となる。
【００２７】
（情報記録方法）
次に、情報記録再生装置２００を用いて、光ディスク２１１に情報を記録する方法について説明する。初めに、相変化型の光ディスク２１１の構造について説明する。
図４は、光ディスク２１１の構造を説明するための図である。光ディスク２１１は、ポリカーボネート樹脂製の基板２１２と、基板２１２上に順番に積層された第１保護層２１３と第１界面層２１４及び相変化記録材料からなる記録層２１５とを有している。さらに記録層２１５上に、順番に積層された第２界面層２１６と第２保護層２１７及び金属反射膜２１８とを備えている。また、金属反射膜２１８上に塗布された紫外線硬化性樹脂を硬化させて透明基板２１９が貼り合わされている。
【００２８】
本実施の形態においては、光ディスク２１１の基板２１２は、直径１２０ｍｍ、厚さ０．６ｍｍのポリカーボネート樹脂を用いた。基板２１２には、アドレス情報がプリフォーマットされ、セクター領域にはトラックピッチ（ＴＰ）０．３４μｍの記録トラックが形成されている。各記録トラックには、周波数６９７ｋＨｚでウォブルが施されており、アドレス情報はウォブル位相変調部を周期的に配置したウォブルアドレスでプリフォーマットされている。
【００２９】
本実施の形態においては、光ディスク２１１の基板２１２に形成され、情報を記録するための記録トラックとしては、溝もしくは溝間の少なくとも一方が用いられる。尚、光ディスク２１１に情報を記録する場合、記録トラックとして溝および溝間の両方を用いることは更に好適である。
また、光ディスク２１１の基板２１２に形成された記録トラックのトラックピッチ（ＴＰ）は、光ヘッド２０７に搭載され、情報を記録するために使用するレーザービームの波長λおよび集光レンズの開口数ＮＡを用いて、
０．３５×（λ／ＮＡ）≦ＴＰ≦０．７×（λ／ＮＡ）
なる関係を満たすように形成されることが望ましい。
【００３０】
第１保護層２１３は、厚さ６０ｎｍの（ＺｎＳ）８０（ＳｉＯ２）２０層であり、第１界面層２１４は、厚さ６ｎｍのＧｅＣｒ−Ｎ層であり、記録層２１５は、厚さ１２ｎｍのＢｉ−Ｇｅ−Ｔｅ層であり、第２界面層２１６は、厚さ２ｎｍのＧｅＣｒ−Ｎ層であり、第２保護層２１７は、厚さ１０ｎｍの（ＺｎＳ）８０（ＳｉＯ２）２０層であり、金属反射膜２１８は、厚さ１５０ｎｍのＡｇ９８Ａｕ１Ｃｕ１（ｗｔ％）層である。これらは、基板２１２上に、それぞれスパッタリングプロセスにより成膜した。また、透明基板２１９は、厚さ０．６ｍｍのポリカーボネート樹脂により形成した。
【００３１】
記録層２１５を構成する相変化型記録材料としては、上述したＢｉ−Ｇｅ−Ｔの他に、例えば、Ｓｂ−Ｔｅ系、Ｇｅ−Ｔｅ系、Ｇｅ−Ｓｂ−Ｔｅ系、Ｉｎ−Ｓｂ−Ｔｅ系、Ａｇ−Ｉｎ−Ｓｂ−Ｔｅ系、ＭＡ−Ｇｅ−Ｓｂ−Ｔｅ系（但し、ＭＡはＡｕ、Ｃｕ、Ｐｄ、Ｔａ、Ｗ、Ｉｒ、Ｓｃ、Ｙ、Ｔｉ、Ｚｒ、Ｖ、Ｎｂ、Ｃｒ、Ｍｏ、Ｍｎ、Ｆｅ、Ｒｕ、Ｃｏ、Ｒｈ、Ｎｉ、Ａｇ、Ｔｌ、Ｓ、ＳｅおよびＰｔのうちの少なくとも１元素である。）、Ｓｎ−Ｓｂ−Ｔｅ系、Ｉｎ−Ｓｅ−Ｔｌ系、Ｉｎ−Ｓｅ−Ｔｌ−ＭＢ系（但し、ＭＢはＡｕ、Ｃｕ、Ｐｄ、Ｔａ、Ｗ、Ｉｒ、Ｓｃ、Ｙ、Ｔｉ、Ｚｒ、Ｖ、Ｎｂ、Ｃｒ、Ｍｏ、Ｍｎ、Ｆｅ、Ｒｕ、Ｃｏ、Ｒｈ、Ｎｉ、Ａｇ、Ｔｌ、Ｓ、Ｓｅ及びＰｔのうちの少なくとも１元素である）、Ｓｎ−Ｓｂ−Ｓｅ系等の材料が挙げられる。
【００３２】
次に、情報記録再生装置２００を用いて光ディスク２１１に情報を記録した結果について説明する。
ここで、本実施の形態においては、光ディスク２１１をスピンドルモーター２０８により回転させ、波長４０５ｎｍのレーザー光を開口数（ＮＡ）０．６５の対物レンズを用いて集光させて、記録層２１５に情報を記録した。
情報の記録は、光ディスク２１１の回転線速１１．２ｍ／ｓｅｃ（ＨＤ  ＤＶＤ２倍速に相当する。）と２２．４ｍ／ｓｅｃ（ＨＤ  ＤＶＤ４倍速に相当する。）との２種類について行った。
記録情報の変調方式は、ＨＤ  ＤＶＤで採用されているＥＦＭ、ＲＬＬ（１，１０）パルス変調を用いた。最短符号長となる２Ｔのマーク長は０．１７３μｍとした。また、記録再生特性の評価は、５トラック連続でランダムパターンを１０回記録した後、３番目の記録したにトラックにおいてビットエラーレートを測定した。
尚、本実施の形態が適用される情報記録媒体の記録方法には、高密度記録に有利なＥＦＭ，ＲＬＬ（１，１０）変調符号を使用するのが最適である。このような変調符号は、周期Ｔのチャネルクロックに基づくｎＴ（但し、ｎは、２〜１１から選ばれる整数）の長さの信号から構成される。
【００３３】
尚、２倍速記録における発光パルスは、立ち上がり時間（Ｔｓ）１ｎｓｅｃ、立ち下がり時間（Ｔｅ）１ｎｓｅｃ、最小パルス幅の全照射時間（Ｔｍ）５．８ｎｓｅｃであり、立ち上がり時間（Ｔｓ）及び立ち下がり時間（Ｔｅ）と全照射時間（Ｔｍ）との比（Ｒ＝（Ｔｓ＋Ｔｅ）／Ｔｍ）が０．３３であるレーザードライバーを用いた。
また、４倍速記録における発光パルスは、立ち上がり時間（Ｔｓ）１ｎｓｅｃ、立ち下がり時間（Ｔｅ）１ｎｓｅｃ、最小パルス幅の全照射時間（Ｔｍ）２．９ｎｓｅｃであり、立ち上がり時間（Ｔｓ）及び立ち下がり時間（Ｔｅ）と全照射時間（Ｔｍ）との比（Ｒ＝（Ｔｓ＋Ｔｅ）／Ｔｍ）が０．６９であるレーザードライバーを用いた。
【００３４】
先ず、従来の矩形波マルチパルスの記録ストラテジの場合について説明する。
図６は、２倍速の記録再生に使用した従来の矩形波マルチパルスの記録ストラテジを説明するための図である。図６には、２Ｔｍ〜１１Ｔｍの中から、２Ｔｍ、３Ｔｍ及び１１Ｔｍの記録ストラテジが示されている。図６に示すように、各記録マークの記録は、所定の記録符号長ｎＴに対して（ｎ−１）個のパルス数で行った。Ｐｗは記録パワーであり、Ｐｂはバイアスパワーである。ＴＭＰはマルチパルス幅である。また、ＴＳＦＰはトップパルスの照射開始時間と基準クロックとのディレイであり、ＴＳＬＰはラストパルスの照射開始時間と基準クロックとのディレイである。ＴＥＬＰはラストパルスの照射完了時間と基準クロックとのディレイである。ＴＬＣはラストパルス直後に比較的低パワーで照射されるクーリングパルスである。ＴＥＦＰはトップパルスの照射完了時間と基準クロックとのディレイである。記録ストラテジを表１に示す。
【００３５】
【表１】
2006172627.tif 000003
【００３６】
次に、リードパワー（Ｐｒ）０．８ｍＷにより、表１に示した記録ストラテジの矩形波マルチパルスにより記録した記録マークの記録再生特性を評価したところ、ビットエラーレートは、ランドで３．０×１０−５、グルーブで４．１×１０−５となった。
【００３７】
続いて、４倍速における矩形波マルチパルスの場合について説明する。
図７は、４倍速の記録再生に使用した従来の矩形波マルチパルスの記録ストラテジを説明するための図である。図７には、２Ｔｍ〜１１Ｔｍの中から、２Ｔｍ〜５Ｔｍ、１０Ｔｍ及び１１Ｔｍの記録ストラテジが示されている。図７に示すように、記録パルス数は、２Ｔｍ及び３Ｔｍは１個、４Ｔｍ及び５Ｔｍは２個、１０Ｔｍ及び１１Ｔｍは５個とした。尚、図示しないが、記録パルス数は、６Ｔｍ及び７Ｔｍは３個、８Ｔｍ及び９Ｔｍは４個である。記録ストラテジを表２に示す。尚、４倍速の記録ストラテジは、表２で示したものに限定されない。
【００３８】
【表２】
2006172627.tif 000004
【００３９】
次に、リードパワー（Ｐｒ）１ｍＷにより、表２に示した記録ストラテジの矩形波マルチパルスにより記録した記録マークの記録再生特性を評価したところ、ビットエラーレートは、ランドで３．０×１０−４、グルーブで４．０×１０−４となり、２倍速記録の場合に比べてビットエラーレートが１桁以上悪くなった。記録マークの形状に乱れが生じていることが分かった。
このように、４倍速記録は、レーザードライバーの立ち上がり時間（Ｔｓ）及び立ち下がり時間（Ｔｅ）の合計（Ｔｓ＋Ｔｅ）と全照射時間（Ｔｍ）との比（Ｒ＝（Ｔｓ＋Ｔｅ）／Ｔｍ）が０．５以上（０．６９）になり、謂わば、レーザードライバーの高速化の限界を越えて高速記録を行うこととなる。このような場合は、従来の矩形波マルチパルスの記録ストラテジにより記録を行うと、記録媒体に書かれる記録マークの形状が歪み、その結果、ビットエラーレートが、２倍速と比較して大幅に低下することが分かる。
【００４０】
次に、本実施の形態が適用される情報記録媒体の記録方法により光ディスク２１１に情報を記録した結果について説明する。
図８は、本実施の形態が適用される情報記録媒体の記録方法による２倍速の記録ストラテジを説明するための図である。図８には、２Ｔｍ〜１１Ｔｍの中から、２Ｔｍ、３Ｔｍ及び１１Ｔｍの記録ストラテジが示されている。図８に示すように、各記録マークの記録は、所定の記録符号長ｎＴに対して（ｎ−１）個のパルス数で行った。
また、パルス波形変換回路２０５（図２参照）において、コンデンサー（Ｃ）１０６ｐＦと抵抗（Ｒ）５０Ωとを直列に接続し、例えば、２Ｔｍのレーザーパルスの形状を、所定のパワーで照射されたレーザー光が、５．３ｎｓｅｃ後に、照射開始時の約３６．８％（＝１／ｅ）のレーザーパワーに低下する減衰波形になるように形成した。記録ストラテジを表３に示す。
【００４１】
【表３】
2006172627.tif 000005
【００４２】
次に、リードパワー（Ｐｒ）０．８ｍＷにより、図８に示した減衰波形を有するマルチパルスにより記録した記録マークの記録再生特性を評価したところ、ビットエラーレートは、ランドで２．０×１０−５、グルーブで３．１×１０−５となり、信頼性の高い記録再生を行えることが分かる。
【００４３】
続いて、４倍速の場合について説明する。
図９は、本実施の形態が適用される情報記録媒体の記録方法による４倍速の記録ストラテジを説明するための図である。図９には、２Ｔｍ〜１１Ｔｍの中から、２Ｔｍ〜５Ｔｍ、１０Ｔｍ及び１１Ｔｍの記録ストラテジが示されている。
図９に示すように、記録パルス数は、信号長が３Ｔ以下のマークの場合は１個、（３＋１）Ｔ以上のマークの場合は少なくとも２個と設定し、記録パルス数の少ない簡略化された記録ストラテジを用いた。即ち、２Ｔｍ及び３Ｔｍは１個、４Ｔｍ及び５Ｔｍは２個、１０Ｔｍ及び１１Ｔｍは５個とした。尚、図示しないが、記録パルス数は、６Ｔｍ及び７Ｔｍは３個、８Ｔｍ及び９Ｔｍは４個である。
また、パルス波形変換回路２０５（図２参照）において、コンデンサー（Ｃ）１０６ｐＦと抵抗（Ｒ）５０Ωとを直列に接続し、例えば、２Ｔｍのレーザーパルスの形状を、所定のパワーで照射されたレーザー光が、５．３ｎｓｅｃ後に、照射開始時の約３６．８％（＝１／ｅ）のレーザーパワーに低下する減衰波形になるように形成した。記録ストラテジを表４に示す。尚、４倍速の記録ストラテジは、表４で示したものに限定されない。
【００４４】
【表４】
2006172627.tif 000006
【００４５】
次に、リードパワー（Ｐｒ）１．０ｍＷにより、図９に示した減衰波形を有するマルチパルスにより記録した記録マークの記録再生特性を評価したところ、ビットエラーレートは、ランドで４．５×１０−５、グルーブで４．８×１０−５となり、信頼性の高い記録再生が行えた。
【００４６】
即ち、本実施の形態が適用される情報記録媒体の記録方法によれば、記録パルス数の少ない簡略化された記録ストラテジを用い、且つ、レーザーパルスの形状を、所定のパワーで照射されたレーザー光のレーザーパワーが一定時間経過後に低下する減衰波形になるように形成することにより、記録マークの形状の歪を低減し信頼性の高い記録再生を行うことができる。特に、レーザーパルスの立ち上がり時間（Ｔｓ）及び立ち下がり時間（Ｔｅ）と全照射時間（Ｔｍ）との比（Ｒ＝（Ｔｓ＋Ｔｅ）／Ｔｍ）が０．５以上（０．６９）であるようなレーザードライバーの高速化の限界を越えて高速記録を行う場合においても、良好な記録再生特性を得ることができることが分かる。
【００４７】
次に、本実施の形態が適用される情報記録媒体の記録方法の第２の実施形態により光ディスク２１１に情報を記録した結果について説明する。
図１０は、本実施の形態が適用される情報記録媒体の記録方法の第２の実施形態による２倍速の記録ストラテジを説明するための図である。図１０には、２Ｔｍ〜１１Ｔｍの中から、２Ｔｍ、３Ｔｍ及び１１Ｔｍの記録ストラテジが示されている。図１０に示すように、各記録マークの記録は、総ての記録符号長ｎＴに対して１個のパルス数で行った。
また、パルス波形変換回路２０５（図２参照）において、コンデンサー（Ｃ）５３ｐＦと抵抗（Ｒ）１０Ωとを直列に接続し、例えば、２Ｔｍのレーザーパルスの形状を、所定のパワーで照射されたレーザー光が、５．３ｎｓｅｃ後に、照射開始時の約３６．８％（＝１／ｅ）のレーザーパワーに低下する減衰波形になるように形成した。記録ストラテジを表５に示す。尚、コンデンサー（Ｃ）及び抵抗（Ｒ）の大きさ、記録パワー、パルス幅等は適宜選択され、表５に示したものに限定されない。
【００４８】
【表５】
2006172627.tif 000007
【００４９】
次に、リードパワー（Ｐｒ）０．８ｍＷにより、図１０に示した減衰波形を有する１個のパルスにより記録した記録マークの記録再生特性を評価したところ、ビットエラーレートは、ランドで４．０×１０−５、グルーブで３．１×１０−５となり、信頼性の高い記録再生が行えた。
【００５０】
続いて、４倍速の場合について説明する。
図１１は、本実施の形態が適用される情報記録媒体の記録方法の第２の実施形態による４倍速の記録ストラテジを説明するための図である。図１１には、２Ｔｍ〜１１Ｔｍの中から、２Ｔｍ〜５Ｔｍ、１０Ｔｍ及び１１Ｔｍの記録ストラテジが示されている。図１１に示すように、記録パルス数は、総ての記録符号長ｎＴに対して１個のパルス数で行った。
【００５１】
また、パルス波形変換回路２０５（図２参照）において、コンデンサー（Ｃ）５３ｐＦと抵抗（Ｒ）１０Ωとを直列に接続し、例えば、２Ｔｍのレーザーパルスの形状を、所定のパワーで照射されたレーザー光が、５．３ｎｓｅｃ後に、照射開始時の約３６．８％（＝１／ｅ）のレーザーパワーに低下する減衰波形になるように形成した。記録ストラテジを表６に示す。尚、コンデンサー（Ｃ）及び抵抗（Ｒ）の大きさ、記録パワー、パルス幅等は適宜選択され、表６に示したものに限定されない。
【００５２】
【表６】
2006172627.tif 000008
【００５３】
次に、リードパワー（Ｐｒ）１ｍＷにより、図１０に示した減衰波形を有する１個のパルスにより記録した記録マークの記録再生特性を評価したところ、ビットエラーレートは、ランドで４．０×１０−５、グルーブで４．０×１０−５となり、信頼性の高い記録再生が行えた。
【００５４】
即ち、本実施の形態が適用される情報記録媒体の記録方法の第２の実施形態によれば、総ての記録符号長ｎＴに対して１個のパルス数の記録ストラテジを用い、且つ、レーザーパルスの形状を、所定のパワーで照射されたレーザー光のレーザーパワーが一定時間経過後に低下する減衰波形になるように形成することにより、記録マークの形状の歪を低減し信頼性の高い記録再生を行うことができる。特に、レーザーパルスの立ち上がり時間（Ｔｓ）及び立ち下がり時間（Ｔｅ）と全照射時間（Ｔｍ）との比（Ｒ＝（Ｔｓ＋Ｔｅ）／Ｔｍ）が０．５以上（０．６９）であるようなレーザードライバーの高速化の限界を越えて高速記録を行う場合においても、良好な記録再生特性を得ることができることが分かる。
【００５５】
次に、本実施の形態が適用される情報記録媒体の記録方法の第３の実施形態により光ディスク２１１に情報を記録した結果について説明する。
図１２は、本実施の形態が適用される情報記録媒体の記録方法の第３の実施形態による２倍速の記録ストラテジを説明するための図である。図１２には、２Ｔｍ〜１１Ｔｍの中から、２Ｔｍ〜４Ｔｍ、１１Ｔｍの記録ストラテジが示されている。
図１２に示すように、記録パルス数は、信号長が４Ｔ以下のマークの場合は１個、（４＋１）Ｔ以上のマークの場合は少なくとも２個と設定し、記録パルス数の少ない簡略化された記録ストラテジを用いた。即ち、２Ｔｍ〜４Ｔｍは１個、５Ｔｍ（図示せず）〜１１Ｔｍは２個とした。
【００５６】
また、パルス波形変換回路２０５（図２参照）において、コンデンサー（Ｃ）２６５ｐＦと抵抗（Ｒ）１０Ωとを直列に接続し、例えば、２Ｔｍのレーザーパルスの形状を、所定のパワーで照射されたレーザー光が、５．３ｎｓｅｃ後に、照射開始時の約３６．８％（＝１／ｅ）のレーザーパワーに低下する減衰波形になるように形成した。記録ストラテジを表７に示す。尚、コンデンサー（Ｃ）及び抵抗（Ｒ）の大きさ、記録パワー、パルス幅等は適宜選択され、表７に示したものに限定されない。
【００５７】
【表７】
2006172627.tif 000009
【００５８】
次に、リードパワー（Ｐｒ）０．８ｍＷにより、図１２に示した減衰波形を有するパルスにより記録した記録マークの記録再生特性を評価したところ、ビットエラーレートは、ランドで３．５×１０−５、グルーブで４．０×１０−５となり、信頼性の高い記録再生が行えた。
【００５９】
続いて、４倍速の場合について説明する。
図１３は、本実施の形態が適用される情報記録媒体の記録方法の第３の実施形態による４倍速の記録ストラテジを説明するための図である。図１３には、２Ｔｍ〜１１Ｔｍの中から、２Ｔｍ〜４Ｔｍ、１１Ｔｍの記録ストラテジが示されている。
図１３に示すように、記録パルス数は、信号長が４Ｔ以下のマークの場合は１個、（４＋１）Ｔ以上のマークの場合は少なくとも２個と設定し、記録パルス数の少ない簡略化された記録ストラテジを用いた。即ち、２Ｔｍ〜４Ｔｍは１個、５Ｔｍ（図示せず）〜１１Ｔｍは２個とした。
【００６０】
また、パルス波形変換回路２０５（図２参照）において、コンデンサー（Ｃ）２６５ｐＦと抵抗（Ｒ）１０Ωとを直列に接続し、例えば、２Ｔｍのレーザーパルスの形状を、所定のパワーで照射されたレーザー光が、５．３ｎｓｅｃ後に、照射開始時の約３６．８％（＝１／ｅ）のレーザーパワーに低下する減衰波形になるように形成した。記録ストラテジを表８に示す。尚、コンデンサー（Ｃ）及び抵抗（Ｒ）の大きさ、記録パワー、パルス幅等は適宜選択され、表８に示したものに限定されない。
【００６１】
【表８】
2006172627.tif 000010
【００６２】
次に、リードパワー（Ｐｒ）１ｍＷにより、図１３に示した減衰波形を有するパルスにより記録した記録マークの記録再生特性を評価したところ、ビットエラーレートは、ランドで３．０×１０−５、グルーブで３．５×１０−５となり、信頼性の高い記録再生が行えた。
【００６３】
即ち、本実施の形態が適用される情報記録媒体の記録方法の第３の実施形態によれば、記録パルス数の少ない簡略化された記録ストラテジを用い、且つ、レーザーパルスの形状を、所定のパワーで照射されたレーザー光のレーザーパワーが一定時間経過後に低下する減衰波形になるように形成することにより、記録マークの形状の歪を低減し信頼性の高い記録再生を行うことができる。特に、レーザーパルスの立ち上がり時間（Ｔｓ）及び立ち下がり時間（Ｔｅ）と全照射時間（Ｔｍ）との比（Ｒ＝（Ｔｓ＋Ｔｅ）／Ｔｍ）が０．５以上（０．６９）であるようなレーザードライバーの高速化の限界を越えて高速記録を行う場合においても、良好な記録再生特性を得ることができることが分かる。
【００６４】
このように、本実施の形態が適用される情報記録媒体の記録方法によれば、レーザードライバーの高速化の限界を越えて高速記録を行なう場合においても、信頼性の良い記録再生を行うことができる。また、記録パルス数を少なくでき、簡略化された記録ストラテジでの記録が可能となる。
【図面の簡単な説明】
【００６５】
【図１】相変化型光ディスクに情報を記録するパルス列を説明するための図である。
【図２】本実施の形態が適用される情報記録装置を説明するための図である。
【図３】本実施の形態が適用される情報記録再生装置において、各信号生成回路で生成される信号を説明するための図である。
【図４】光ディスクの構造を説明するための図である。
【図５】レーザーパワーの立ち上がり時間と立ち下がり時間とを説明するための図である。
【図６】２倍速の記録再生に使用した従来の矩形波マルチパルスの記録ストラテジを説明するための図である。
【図７】４倍速の記録再生に使用した従来の矩形波マルチパルスの記録ストラテジを説明するための図である。
【図８】本実施の形態が適用される情報記録媒体の記録方法による２倍速の記録ストラテジを説明するための図である。
【図９】本実施の形態が適用される情報記録媒体の記録方法による４倍速の記録ストラテジを説明するための図である。
【図１０】本実施の形態が適用される情報記録媒体の記録方法の第２の実施形態による２倍速の記録ストラテジを説明するための図である。
【図１１】本実施の形態が適用される情報記録媒体の記録方法の第２の実施形態による４倍速の記録ストラテジを説明するための図である。
【図１２】本実施の形態が適用される情報記録媒体の記録方法の第３の実施形態による２倍速の記録ストラテジを説明するための図である。
【図１３】本実施の形態が適用される情報記録媒体の記録方法の第３の実施形態による４倍速の記録ストラテジを説明するための図である。
【符号の説明】
【００６６】
２００…情報記録再生装置、２０１…上位計算機、２０２…システム制御回路、２０３…変調回路、２０４…記録信号生成回路、２０５…パルス波形変換回路、２０６…レーザー駆動回路、２０７…光ヘッド、２０８…スピンドルモーター、２０９…再生信号復調回路、２１０…復調回路、２１１…光ディスク、２１２…基板、２１３…第１保護層、２１４…第１界面層、２１５…記録層、２１６…第２界面層、２１７…第２保護層、２１８…金属反射膜、２１９…透明基板
【図１】
2006172627.tif 000011
【図２】
2006172627.tif 000012
【図３】
2006172627.tif 000013
【図４】
2006172627.tif 000014
【図５】
2006172627.tif 000015
【図６】
2006172627.tif 000016
【図７】
2006172627.tif 000017
【図８】
2006172627.tif 000018
【図９】
2006172627.tif 000019
【図１０】
2006172627.tif 000020
【図１１】
2006172627.tif 000021
【図１２】
2006172627.tif 000022
【図１３】
2006172627.tif 000023